(57)【要約】【課題】  スイベル継手に対するエンド金具の抜け止めが確実に行われるフック装置を提供する。【解決手段】  ワイヤロープ７の先端部にフック２０を回動可能に連結するフック装置３０において、ワイヤロープ７の先端部にカシメ固定される円柱状のエンド金具３１と、このエンド金具３１の先端部に環状に拡がる拡径部３２と、ワイヤロープ７の基端部側から挿通される筒状のスイベル継手４１と、このスイベル継手４１に形成され拡径部３２に回動可能に当接するように環状に縮径する縮径部４２とを備え、スイベル継手４１にフック２０の基端部を回動可能に連結するものとした。【選択図】    図４
2006002879.tif 000002
【特許請求の範囲】
【請求項１】
ワイヤロープの先端部に固定されるエンド金具と、
フックが連結される筒状のスイベル継手とを備え、
このスイベル継手に対して前記エンド金具を回転可能に抜け止めし、
前記ワイヤロープの先端部に前記フックを回動可能に連結するフック装置において、
前記エンド金具の先端部に予め形成される拡径部と、
前記スイベル継手に予め形成される縮径部とを備え、
前記ワイヤロープの基端部側から前記スイベル継手を挿通した後に前記スイベル継手に前記フックを連結したことを特徴とするフック装置。
【請求項２】
前記エンド金具の前記拡径部と前記スイベル継手の前記縮径部の間に環状の座金を介装したことを特徴とする請求項１に記載のフック装置。
【請求項３】
前記エンド金具の前記先端面と前記フックの間に円盤状の座金を介装したことを特徴とする請求項１または２に記載のフック装置。
【発明の詳細な説明】
【技術分野】
【０００１】
本発明は、ワイヤロープにフックを回動可能に連結するフック装置の改良に関するものである。
【背景技術】
【０００２】
従来、この種のフック装置として、フックが連結される筒状のスイベル継手と、ワイヤロープの先端部に固定されるエンド金具と、エンド金具に形成されたネジ部に螺合する抜け止め用のナットとを備え、ワイヤロープの先端部にフックを回動可能に連結するものがあった。
【０００３】
このフック装置の組立時、スイベル継手に対してワイヤロープの先端部側からエンド金具を嵌合させた後、エンド金具のネジ部にナットを螺合し、スイベル継手に形成された縮径部にこのナットを当接させてスイベル継手に対するエンド金具の抜け止めをするようなっている。
【非特許文献１】東京製綱株式会社平成１１年発行、「ワイヤロープ  Ｎｏ．１７」第２２０頁
【発明の開示】
【発明が解決しようとする課題】
【０００４】
しかしながら、旋回クレーン式フック装置は、ナットが緩んでネジ部から外れると、スイベル継手からエンド金具が抜ける可能性があった。この対策として、ネジ部にナットを螺合した後にネジ部とナットを溶接により固着することが行われていたが、この溶接作業に手間がかかるという問題点があった。また、現場等で行われるフック装置の組み付け時にこの溶接作業が行われない心配があった。
【０００５】
本発明は上記の問題点に鑑みてなされたものであり、スイベル継手に対するエンド金具の抜け止めが確実に行われるフック装置を提供することを目的とする。
【課題を解決するための手段】
【０００６】
本発明は、ワイヤロープの先端部に固定されるエンド金具と、フックが連結される筒状のスイベル継手とを備え、このスイベル継手に対してエンド金具を回転可能に抜け止めし、ワイヤロープの先端部にフックを回動可能に連結するフック装置に適用する。
【０００７】
そして、エンド金具の先端部に予め形成される拡径部と、スイベル継手に予め形成される縮径部とを備え、ワイヤロープの基端部側からスイベル継手を挿通した後にスイベル継手にフックを連結したことを特徴とするものとした。
【発明の効果】
【０００８】
本発明によると、ワイヤロープの先端部にフックを組み付ける際、筒状のスイベル継手に対してワイヤロープをその基端部側から挿通してその先端部に固定されたエンド金具を嵌合させるため、スイベル継手に予め形成された縮径部にエンド金具に予め形成された拡径部が当接し、スイベル継手に対するエンド金具の抜け止めが確実に行われる。
【発明を実施するための最良の形態】
【０００９】
以下、本発明を船舶の旋回クレーン式揚艇装置に適用した実施の形態を添付図面に基づいて説明する。
【００１０】
図１、図２に示すように、本船１の甲板２上には複合式搭載艇（ＲＩＢ）４を載せる艇レスト１１が設置され、この搭載艇４を吊り下げて搬入出する旋回クレーン式揚艇装置５を備える。
【００１１】
揚艇装置５は垂直軸回りに回動して甲板２上から振出されるクレーンブーム６と、このクレーンブーム６を駆動する旋回装置８と、クレーンブーム６の先端部からシーブ１２を介して繰り出される一本のワイヤロープ７と、このワイヤロープ７を巻き取る１台のウィンチ９とを備える。
【００１２】
ワイヤロープ７の先端部にはフック２０が結合され、このフック２０が搭載艇４のスリング１９の吊り環１８に対して着脱可能に連結される。スリング１９は吊り環１８から四方に延びる４本のワイヤロープによって構成され、各ワイヤロープの一端が搭載艇４の前後部の４カ所に連結されている。
【００１３】
ステンレス製ワイヤロープ７は非自転性の構造を有し、張力の増減に伴うワイヤロープ７の捩れを小さくすることによって、これに吊り下げられた搭載艇４が回動することを抑えるようになっている。
【００１４】
図３、図４は、ワイヤロープ７の先端部にフック２０を回動可能に連結するフック装置３０を示す。このフック装置３０は、ワイヤロープ７の先端部にカシメ固定される円柱状のエンド金具３１と、このエンド金具３１の先端部に環状に拡がる拡径部３２と、ワイヤロープ７の基端部側から挿通される筒状のスイベル継手４１と、このスイベル継手４１形成され拡径部３２に対して回動可能に当接するように環状に縮径する縮径部４２と、スイベル継手４１に形成される二又に分岐したフォーク部４３と、このフォーク部４３に支持されるピン５０とを備え、このピン５０にフック２０の基端部を回動可能に連結支持する。
【００１５】
エンド金具３１の拡径部３２とスイベル継手４１の縮径部４２の間には環状の樹脂製座金６０が介装され、エンド金具３１とスイベル継手４１がこの座金６０を介して円滑に回動するようになっている。
【００１６】
スイベル継手４１の縮径部４２とエンド金具３１の拡径部３２は、切削加工、鋳造または鍛造等によって予め形成される。
【００１７】
エンド金具３１の先端面３３とフック２０の基端面２１の間には円盤状の樹脂製座金７０が介装され、エンド金具３１とフック２０がこの座金７０を介して円滑に回動するようになっている。
【００１８】
ピン５０にフック２０の穴２２の間にはスペーサ２３，２４が介装され、フック２０が二又に分岐したフォーク部４３の中央部に位置するように回動可能に支持される。
【００１９】
ピン５０の先端部にはネジ部５１が形成され、このネジ部５１に螺合するナット５２を介してフォーク部４３に締結される。
【００２０】
フック２０は係止爪２５がピン２６を介して回動可能に設けられ、図示しないバネの付勢力によってこの係止爪２５がフック２０の開口部を閉じることにより、フック２０に係合した吊り環１８の抜け止めがはかられる。
【００２１】
フック装置３０の組立時は以下の手順で行われる。
・座金６０及び筒状のスイベル継手４１に対してワイヤロープ７をその基端部側から挿通してその先端部に固定されたエンド金具３１を嵌合させる。
・スイベル継手４１の内側に座金７０を介装する。
・スイベル継手４１のフォーク部４３にスペーサ２３，２４及びピン５０を介してフック２０を組み付ける。
・ピン５０のネジ部５１にナット５２を締結する。
【００２２】
以上のようにフック装置３０は構成され、ワイヤロープ７の先端部に対してフック２０を回動可能に連結するので、フック２０を吊り環１８に連結する玉掛け作業を容易に行える。
【００２３】
フック装置３０は、ワイヤロープ７の先端部にフック２０を組み付ける際、筒状のスイベル継手４１に対してワイヤロープ７をその基端部側から挿通してその先端部に固定されたエンド金具３１を嵌合させるため、スイベル継手４１に形成された縮径部４２にエンド金具３１に形成された拡径部３２が当接し、スイベル継手４１に対するエンド金具３１の抜け止めが確実に行われる。
【００２４】
これに対して従来装置は、ワイヤロープの先端部にフックを組み付ける際、筒状のスイベル継手に対してワイヤロープをその先端部側から挿通してその先端部に固定されたエンド金具を嵌合させた後、エンド金具に形成されたネジ部にナットを螺合し、スイベル継手に形成された縮径部にこのナットを当接させてスイベル継手に対するエンド金具の抜け止めが行われるようになっていたため、ナットが緩んでネジ部から外れると、スイベル継手からエンド金具が抜ける可能性があった。この対策として、ネジ部にナットを螺合した後にネジ部とナットを溶接により固着することが行われていたが、この溶接作業に手間がかかるという問題点があった。また、現場で行われるフック装置の組み付け時にこの溶接作業が行われない心配があった。
【００２５】
本発明のフック装置３０は、スイベル継手４１とエンド金具３１の間にナット等が介在しないため、ナットを溶接する作業が不要であり、スイベル継手４１に対するエンド金具３１の抜け止めが確実に行われる。
【００２６】
また、スイベル継手４１の縮径部４２とエンド金具３１の拡径部３２は切削加工、鋳造または鍛造等によって予め形成されているため、組み付け後に行われるカシメ加工等による抜け止め機構に比べて抜け止めが確実に行われる。
【００２７】
本発明は上記の実施の形態に限定されずに、その技術的な思想の範囲内において種々の変更がなしうることは明白である。
【産業上の利用可能性】
【００２８】
本発明は、ワイヤロープにフックを回動可能に連結するフック装置に利用できる。
【図面の簡単な説明】
【００２９】
【図１】本発明の実施の形態を示す揚艇装置の正面図。
【図２】同じく搭載艇等の側面図。
【図３】同じくフック装置の正面図。
【図４】同じくフック装置の断面図。
【符号の説明】
【００３０】
４  搭載艇
５  揚艇装置
９  ウィンチ
２０  フック
３０  フック装置
３１  エンド金具
３２  拡径部
４１  スイベル継手
４２  縮径部
４３  フォーク部
５０  ピン
６０  座金
７０  座金
【図１】
2006002879.tif 000003
【図２】
2006002879.tif 000004
【図３】
2006002879.tif 000005
【図４】
2006002879.tif 000006